(57)【要約】      【課題】  アナログＴＶ放送からデジタルＴＶ放送に切り替わる際に音声や映像が数秒間繰り返して出力される現象をなくす。      【解決手段】  サイマル方式のデジタルテレビジョン放送とアナログテレビジョン放送とを受信して捕捉するものであって、デジタルテレビジョン放送の受信強度が所定値よりも低い場合にのみ、外部機器への出力をアナログテレビジョン放送に切り替えるテレビジョン放送受信機において、アナログテレビジョン放送からデジタルテレビジョン放送に切り替えた際に、出力されるデジタルテレビジョン放送を所定時間消音させる。【選択図】      図２
2006173965.tif 000002
【特許請求の範囲】
【請求項１】
サイマル方式のデジタルテレビジョン放送とアナログテレビジョン放送とを受信して捕捉するテレビジョン放送受信機であって、デジタルテレビジョン放送の受信強度が所定値よりも低い場合にのみ、外部機器への出力をアナログテレビジョン放送に切り替えるテレビジョン放送受信機において、
アナログテレビジョン放送からデジタルテレビジョン放送に切り替えた際に、出力されるデジタルテレビジョン放送を所定時間消音させること、を特徴とするテレビジョン放送受信機。
【請求項２】
該所定時間が、信号捕捉から外部機器への出力に至るデジタルテレビジョン放送の信号処理に要する時間からアナログテレビジョン放送の信号処理に要する時間を引いたものと実質的に等しいこと、を特徴とする請求項１に記載のテレビジョン放送受信機。
【請求項３】
消音期間中、所定の画像を出力すること、を特徴とする請求項１又は請求項２のいずれかに記載のテレビジョン放送受信機。
【請求項４】
デジタルテレビジョン放送と、該デジタルテレビジョン放送と同一内容のアナログテレビジョン放送とを同時に受信・捕捉していずれか一方を選択的に出力するテレビジョン放送受信機において、
アナログテレビジョン放送からデジタルテレビジョン放送に切り替えた際に、出力されるデジタルテレビジョン放送を所定時間消音させること、を特徴とするテレビジョン放送受信機。
【請求項５】
移動体に備えられていること、を特徴とする請求項１から請求項４のいずれかに記載のテレビジョン放送受信機。
【請求項６】
サイマル方式のデジタルテレビジョン放送とアナログテレビジョン放送とを受信して捕捉するテレビジョン放送受信方法であって、デジタルテレビジョン放送の受信強度が所定値よりも低い場合にのみ、出力される番組をアナログテレビジョン放送のものに切り替えるテレビジョン放送受信方法において、
アナログテレビジョン放送からデジタルテレビジョン放送に切り替えた際に、出力されるデジタルテレビジョン放送を所定時間消音させること、を特徴とするテレビジョン放送受信方法。
【発明の詳細な説明】
【技術分野】
【０００１】
この発明は、サイマル方式のデジタルテレビジョン放送（以下、デジタルＴＶ放送と略記）とアナログテレビジョン放送（以下、アナログＴＶ放送と略記）とを受信して捕捉するテレビジョン放送受信機及びテレビジョン放送受信方法に関する。
【背景技術】
【０００２】
近年、地上波のデジタルＴＶ放送が普及し始めている。しかしながらその普及には膨大な時間とコストを必要とし、現段階では一部の地域でしかデジタルＴＶ放送を視聴することができない。また、デジタルＴＶ放送を視聴できないＴＶのみを有するユーザも数多く存在する。これらの事情を鑑みて、現在、デジタルＴＶ放送とアナログＴＶ放送とのサイマル放送（すなわちデジタル及びアナログの両方式で同一時間に同一コンテンツを放送すること）が実施されている。
【０００３】
上述したように地域によってデジタルＴＶ放送を受信できないところがある為、例えば車両に代表される移動体に搭載されたＴＶ放送用の受信機では、移動による受信状態の変化に拘わらずＴＶ番組をユーザが継続して視聴できるよう、デジタルＴＶ放送とアナログＴＶ放送の両放送を受信・捕捉できることが望ましい。この為、両放送を受信・捕捉可能なテレビジョン放送受信機が種々提案され、実用に供されている（例えば特許文献１）。なお、特許文献１に示されたテレビジョン放送受信機では、デジタルＴＶ放送の受信感度に基づいて、出力映像及び音声をデジタルＴＶ放送又はアナログＴＶ放送のものに切り替えている。また、ここでいうユーザとは、例えば、車両停止中における運転手、或いは、助手席や後部座席に座っている同乗者などを示す。
【特許文献１】特開２００１−１２８０７８号公報
【発明の開示】
【発明が解決しようとする課題】
【０００４】
ここで、上記特許文献１に示されたようなテレビジョン放送受信機では、信号捕捉から外部機器への出力に至るデジタルＴＶ放送の信号処理に要する時間が、アナログＴＶ放送の信号処理に要する時間よりも長い（仕様によって異なるが例えば１〜１．５秒程度長い）。従って、アナログＴＶ放送からデジタルＴＶ放送に切り替わった時、モニタには、切り替わる直前の映像に対して１〜１．５秒程度遅れたものが表示される。また、スピーカからは、切り替わる直前の音声に対して１〜１．５秒程度遅れたものが出力される。ＴＶ番組が一部（１〜１．５秒程度の映像及び音声）繰り返して出力される為、ユーザは違和感や不快感を覚え得る。
【０００５】
そこで、本発明は上記の事情に鑑み、アナログＴＶ放送からデジタルＴＶ放送に切り替わる際に映像や音声が数秒間繰り返して出力される現象をなくすことができるテレビジョン放送受信機及びテレビジョン放送受信方法を提供することを目的とする。
【課題を解決するための手段】
【０００６】
上記の課題を解決する本発明の一態様に係るテレビジョン放送受信機は、サイマル方式のデジタルテレビジョン放送とアナログテレビジョン放送とを受信して捕捉するものであって、デジタルテレビジョン放送の受信強度が所定値よりも低い場合にのみ、外部機器への出力をアナログテレビジョン放送に切り替えるものであり、アナログテレビジョン放送からデジタルテレビジョン放送に切り替えた際に、出力されるデジタルテレビジョン放送を所定時間消音させる。
【０００７】
なお、上記テレビジョン放送受信機において、該所定時間が、信号捕捉から外部機器への出力に至るデジタルテレビジョン放送の信号処理に要する時間からアナログテレビジョン放送の信号処理に要する時間を引いたものと実質的に等しくても良い。
【０００８】
また、上記テレビジョン放送受信機は、消音期間中、所定の画像を出力することができる。
【０００９】
また、上記の課題を解決する本発明の別の態様に係るテレビジョン放送受信機は、デジタルテレビジョン放送と、該デジタルテレビジョン放送と同一内容のアナログテレビジョン放送とを同時に受信・捕捉していずれか一方を選択的に出力するものであり、アナログテレビジョン放送からデジタルテレビジョン放送に切り替えた際に、出力されるデジタルテレビジョン放送を所定時間消音させる。
【００１０】
なお、上記テレビジョン放送受信機は、移動体に備えられたものであっても良い。
【００１１】
また、上記の課題を解決する本発明の一態様に係るテレビジョン放送受信方法は、サイマル方式のデジタルテレビジョン放送とアナログテレビジョン放送とを受信して捕捉するテレビジョンものであって、デジタルテレビジョン放送の受信強度が所定値よりも低い場合にのみ、出力される番組をアナログテレビジョン放送のものに切り替えるものであり、アナログテレビジョン放送からデジタルテレビジョン放送に切り替えた際に、出力されるデジタルテレビジョン放送を所定時間消音させる。
【発明の効果】
【００１２】
本発明のテレビジョン放送受信機及びテレビジョン放送受信方法を採用すると、同一内容の音声の繰り返しがなくなり、且つ、アナログテレビジョン放送からデジタルテレビジョン放送への切り替わりの前後において出力される音声に連続性が生まれる。これによりユーザは、デジタルＴＶ放送とアナログＴＶ放送とが切り替わっても、違和感や不快感を覚えることがなくなり、ＴＶ放送を快適に視聴することができる。
【発明を実施するための最良の形態】
【００１３】
以下、図面を参照して、本発明の実施の形態のテレビジョン放送受信機の構成及び作用について説明する。
【００１４】
本発明の実施の形態のテレビジョン放送受信機は、例えば移動体である車両に搭載されており、ユーザに、デジタルＴＶ放送（ここでは地上波）の受信可／不可地域が混在する為に発生し得るデジタルＴＶ放送とアナログＴＶ放送（ここでは地上波）との切り替わりによる違和感や不快感を与えることなく、ＴＶ番組を快適に視聴させることができる装置である。
【実施例１】
【００１５】
図１は、本実施例１のテレビジョン放送受信機１００の構成を示したブロック図である。本実施例１のテレビジョン放送受信機１００は、制御部１０、操作部１２、記憶部１４、音声切替部４２、音声ミュート回路４４、及び、映像切替部４６を備えている。また、テレビジョン放送受信機１００には、例えばコンポーネント信号やコンポジット信号等を出力する端子（不図示）が設けられている。ユーザは、いずれかの端子にＴＶ番組の映像を表示させるモニタ（不図示）及び音声を出力させるスピーカ（不図示）を接続することにより、デジタルＴＶ放送やアナログＴＶ放送の番組を視聴することができる。
【００１６】
制御部１０は、内蔵された発振器が生成するクロックパルスに基づいて時間をカウントするカウント部１０ａを有しており、当該クロックパルスに合わせて作動し、テレビジョン放送受信機１００全体の制御を統括して行う。また、操作部１２は、テレビジョン放送受信機１００をユーザに操作させる為に設けられたものである。また、記憶部１４は、各種処理を実行する為に必要な様々な情報を記憶している。記憶部１４に記憶された情報には、例えば、デジタルＴＶ放送のチャンネル情報とそれに対応したアナログＴＶ放送のチャンネル情報（ここでは、あるデジタルＴＶ放送と同一時間に同一番組を放送しているアナログＴＶ放送）とを関連付けたものがある。
【００１７】
なお、ユーザは、操作部１２を操作することにより、例えば視聴したいＴＶ放送のチャンネルを選択することができる。操作部１２が操作されるとその操作に応じた信号が制御部１０に入力される。これにより、制御部１０は、現在設定されているＴＶ放送のチャンネルなどを認識することができる。また、記憶部１４に記憶されたデジタルＴＶ放送のチャンネル情報とアナログＴＶ放送のチャンネル情報との関連付けは、操作部１２を操作することによってユーザが各自設定することもできる。
【００１８】
音声切替部４２は、制御部１０に制御され、スピーカに出力される音声信号をデジタルＴＶ放送又はアナログＴＶ放送のいずれか一方のものに設定することができる。また、音声ミュート回路４４は、音声信号を減衰させる機能、又は、音声切替部４２とスピーカ用の出力端子とを電気的に切断する機能を有し、音声切替部４２からスピーカに出力される音声を消音させることができる。また、映像切替部４６は、制御部１０に制御され、モニタに出力される映像信号をデジタルＴＶ放送又はアナログＴＶ放送のいずれか一方のものに設定することができる。
【００１９】
ここで、デジタルＴＶ放送の番組を出力する為の構成及び作用について説明する。テレビジョン放送受信機１００は、制御部１０の制御下で作動する、デジタルＴＶ放送の番組を出力する為の構成として、デジタル用アンテナ２２、デジタル用チューナ２４、ＯＦＤＭ（Orthogonal Frequency Division Multiplexing）部２６、及び、ＭＰＥＧ（Moving Picture Experts Group）部２８を備えている。
【００２０】
デジタル用アンテナ２２は、デジタルＴＶ放送を受信してデジタル用チューナ２４に出力する。デジタル用チューナ２４は、デジタル用アンテナ２２が受信した信号の中から所定のチャンネルのデジタルＴＶ放送（例えば操作部１２の操作で設定されているチャンネル）を捕捉してＯＦＤＭ部２６に出力する。ＯＦＤＭ部２６は、デジタル信号を例えば数千のキャリアに分割し、各キャリア毎に位相を合わせて合成（例えば最大比合成）処理を行った上で復調してＭＰＥＧ部２８に出力する。ＭＰＥＧ部２８は、ＯＦＤＭ部２６から出力された信号を、デコードし、デジタルＴＶ放送の音声信号を音声切替部４２に出力し、デジタルＴＶ放送の映像信号を映像切替部４６に出力する。音声切替部４２及び映像切替部４６がデジタルＴＶ放送の音声信号及び映像信号を出力するように設定されている場合、これらの信号がスピーカ及びモニタから出力され、ユーザは、地上波のデジタルＴＶ放送を視聴することができる。
【００２１】
次に、アナログＴＶ放送の番組を出力する為の構成及び作用について説明する。テレビジョン放送受信機１００は、制御部１０の制御下で作動する、アナログＴＶ放送の番組を出力する為の構成として、アナログ用アンテナ３２、アナログ用チューナ３４、信号処理回路３６を備えている。
【００２２】
アナログ用アンテナ３２は、アナログＴＶ放送を受信してアナログ用チューナ３４に出力する。アナログ用チューナ３４は、アナログ用アンテナ３２が受信した信号の中から所定のチャンネル（デジタル用チューナ２４が捕捉したものに対応するチャンネル）のアナログＴＶ放送の信号を捕捉して復調し、信号処理回路３６に出力する。信号処理回路３６は、アナログ用チューナ３４から出力された信号に所定の処理を施し、アナログＴＶ放送の音声信号を音声切替部４２に出力し、アナログＴＶ放送の映像信号を映像切替部４６に出力する。音声切替部４２及び映像切替部４６がアナログＴＶ放送の音声信号及び映像信号を出力するように設定されている場合、これらの信号がスピーカ及びモニタから出力され、ユーザは、地上波のアナログＴＶ放送を視聴することができる。
【００２３】
なお、制御部１０は、上述のデジタルＴＶ放送の信号処理を実行しつつアナログＴＶ放送の信号処理も並行して実行している。従って、音声切替部４２及び映像切替部４６には、両方のＴＶ放送の信号が常時入力されている。この為、音声切替部４２及び映像切替部４６の出力設定が切り替えられると、切替後に設定された信号はスピーカ及びモニタに直ぐさま出力される。
【００２４】
ここで、本実施例１の如きテレビジョン放送受信機において、デジタルＴＶ放送の信号処理（信号捕捉からスピーカ及びモニタへの出力までを含む処理）は、アナログＴＶ放送の信号処理よりも１．５秒間長く掛かる。従って、音声切替部４２及び映像切替部４６に入力されるデジタルＴＶ放送の番組内容は、アナログＴＶ放送のものよりも常に１．５秒遅れたものとなる。この為、音声切替部４２及び映像切替部４６の出力設定をアナログＴＶ放送からデジタルＴＶ放送に切り替えたとき、スピーカ及びモニタに出力される音声・映像が、切り替わりの前後で不連続なものとなってしまい、ユーザに違和感や不快感を与えていた。なお、本実施形態では各ＴＶ放送の信号処理時間の差を１．５秒としているが、この値は、テレビジョン放送受信機の仕様に応じて様々な値に変動し得る。
【００２５】
上述の如き問題を解決する為に、本実施例１では、図２のフローチャートに示されたＴＶ放送設定処理を実行している。以下に、図２を参照して、本実施例１の制御部１０が実行する処理であって、出力音声及び映像をＴＶ放送の受信状況に応じて設定するＴＶ放送設定処理について説明する。
【００２６】
なお、制御部１０は、図２のフローチャートに示されたＴＶ放送設定処理を、例えばテレビジョン放送受信機１００の電源（不図示）がオンされた時点で開始し、当該電源がオフされた時点で終了させる。また、新たなチャンネルに変更された時点で実行中のＴＶ放送設定処理を終了させると共に、当該新たなチャンネルに関するＴＶ放送設定処理を開始させる。
【００２７】
チャンネルの変更や電源オン等をトリガーとして、制御部１０は、上述のデジタルＴＶ放送及びアナログＴＶ放送の信号処理を実行し、音声切替部４２及び映像切替部４６に両方のＴＶ放送の信号が常時入力されている状態とする。そしてデジタル用アンテナ２２の受信強度を検知し、当該受信強度が所定の閾値以上か否かを判定する（ステップ１、以下、ステップを「Ｓ」と略記）。なお、ここでいう所定の閾値とは、受信限界（デジタルＴＶ放送の受信強度が低下して当該放送の音声・映像を正常に出力できない状態）における受信強度値に相当するものである。
【００２８】
Ｓ１の処理において、受信強度が所定の閾値以上であると判定した場合（Ｓ１：ＹＥＳ）、制御部１０は、デジタルＴＶ放送の音声・映像を正常に出力できると判断し、音声切替部４２及び映像切替部４６の出力をデジタルＴＶ放送に設定する（Ｓ２）。これにより、デジタルＴＶ放送の音声が音声切替部４２から音声ミュート回路４４を介してスピーカに出力され、且つ、デジタルＴＶ放送の映像が映像切替部４６からモニタに出力される為、ユーザは、地上波のデジタルＴＶ放送を視聴することができる。なお、Ｓ２の処理では、音声ミュート回路４４による音声信号の減衰処理又は切断機能が実行されない為、音声切替部４２からの出力は、スピーカにそのままの状態で入力される。また、制御部１０は、Ｓ２の処理を実行して所定時間経過した後、Ｓ１の受信強度判定処理を再び実行し、デジタルＴＶ放送の音声・映像を正常に出力できるか否かを再び判断する。
【００２９】
また、Ｓ１の処理において、受信強度が所定の閾値よりも低いと判定した場合（Ｓ１：ＮＯ）、制御部１０は、デジタルＴＶ放送の音声・映像を正常に出力できないと判断し、音声切替部４２及び映像切替部４６の出力を、当該デジタルＴＶ放送に対応したアナログＴＶ放送に設定する（Ｓ３）。そしてカウント部１０ａのカウント値Ｃを０にリセットし（Ｓ４）、デジタル用アンテナ２２の受信強度が所定の閾値以上か否かを再び判定する（Ｓ５）。受信強度が所定の閾値よりも低いと判定した場合（Ｓ５：ＮＯ）、制御部１０は、アナログＴＶ放送の出力を継続させる。
【００３０】
Ｓ５の処理において、受信強度が所定の閾値以上であると判定した場合（Ｓ５：ＹＥＳ）、制御部１０は、デジタルＴＶ放送の受信状況が改善され、その音声・映像を正常に出力できるようになったと判断し、音声切替部４２及び映像切替部４６の出力をデジタルＴＶ放送に設定する。このとき、上述したデジタルＴＶ放送とアナログＴＶ放送との信号処理時間の差によって、同一内容の音声及び映像がスピーカ及びモニタに繰り返し出力され得る。説明を加えると、デジタルＴＶ放送に切替後の１．５秒程度の間、スピーカ及びモニタには、切り替わる直前（１．５秒程度）のアナログＴＶ放送と同一内容のデジタルＴＶ放送が出力され得る。これはユーザに違和感や不快感を与え得る。そこで、本実施例１のＴＶ放送設定処理では、制御部１０は、上記違和感や不快感を解消すべくＳ５の判定処理後、その出力をデジタルＴＶ放送に設定すると共に音声ミュート回路４４の減衰機能又は切断機能をオンさせる（Ｓ６）。ここで、音声ミュート回路４４は、音声信号の出力値を、実質的に０となるように減衰させる。或いは、音声切替部４２とスピーカ用の出力端子とを電気的に切断する。これにより、スピーカに出力され得る音声が消音される。この結果、モニタには切り替わる直前のアナログＴＶ放送が表示されるが、スピーカからは何の音声も出力されない。
【００３１】
Ｓ６の処理後、制御部１０は、所定時間待機し（Ｓ７）、カウント値Ｃを１インクリメントする（Ｓ８）。そしてカウント値Ｃが所定値ｎに達したか否かを判定する（Ｓ９）。カウント値Ｃが所定値ｎに達していないと判定した場合（Ｓ９：ＮＯ）、制御部１０は、Ｓ７の処理に戻り、Ｓ７〜Ｓ９の一連の処理を繰り返し実行する。また、カウント値Ｃが所定値ｎに達したと判定した場合（Ｓ９：ＹＥＳ）、Ｓ６の出力切替処理及び消音処理を実行してから１．５秒経過したと判断し、音声ミュート回路４４の減衰機能又は切断機能をオフさせる（Ｓ１０）。これにより、スピーカ及びモニタの両方からデジタルＴＶ放送が出力される（Ｓ２）。
【００３２】
上述したＴＶ放送設定処理を実行することにより、アナログＴＶ放送からデジタルＴＶ放送に切り替わったとき、ユーザには当該デジタルＴＶ放送の映像のみが提示される。そしてデジタルＴＶ放送に切り替わってから、デジタルＴＶ放送とアナログＴＶ放送との信号処理時間の差に相当する１．５秒経過後に、映像に加えて音声も提示される。この為、同一内容の音声の繰り返しがなくなり、且つ、切り替わりの前後において出力される音声に連続性が生まれる。これによりユーザは、デジタルＴＶ放送とアナログＴＶ放送とが切り替わっても、違和感や不快感を覚えることがなくなる。
【実施例２】
【００３３】
次に、本発明の実施例２のテレビジョン放送受信機１００ｚの構成及び作用について説明する。なお、本実施例２のテレビジョン放送受信機１００ｚにおいて、図１に示す実施例１のテレビジョン放送受信機１００と同一の構成には、同一の符号を付してここでの詳細な説明は省略する。
【００３４】
図３は、本実施例２のテレビジョン放送受信機１００の構成を示したブロック図である。本実施例２のテレビジョン放送受信機１００ｚは、実施例１のテレビジョン放送受信機１００の構成に加え、映像処理回路４８を備えている。映像処理回路４８は、映像切替部４６から出力された映像信号を減衰させてモニタに出力する機能、又は、映像切替部４６とモニタ用の出力端子とを電気的に切断する機能を有している。
【００３５】
図４は、本実施例２の制御部１０が実行する処理であって、出力音声及び映像をＴＶ放送の受信状況に応じて設定するＴＶ放送設定処理を示したフローチャートである。本実施例２の制御部１０は、本実施例１の処理と同様に、デジタル用アンテナ２２の受信強度判定処理を実行し（Ｓ１１）、当該受信強度が所定値以上の場合には音声切替部４２及び映像切替部４６の出力をデジタルＴＶ放送に設定し（Ｓ１２）、当該受信強度が所定値よりも低い場合には音声切替部４２及び映像切替部４６の出力をアナログＴＶ放送に設定する（Ｓ１３）。そしてその出力をアナログＴＶ放送に設定した場合、カウンタ部１０ａのカウント値Ｃを０にリセットし（Ｓ１４）、上記受信強度を監視する（Ｓ１５）。
【００３６】
Ｓ１５の処理において、受信強度が所定の閾値以上であると判定した場合（Ｓ１５：ＹＥＳ）、制御部１０は、デジタルＴＶ放送の受信状況が改善され、その音声・映像を正常に出力できるようになったと判断し、音声切替部４２及び映像切替部４６の出力をデジタルＴＶ放送に設定すると共に、音声ミュート回路４４及び映像処理回路４８の減衰機能又は切断機能をオンさせる（Ｓ１６）。ここで、映像処理回路４８は、映像信号の出力値を、実質的に０となるように減衰させる。或いは、映像切替部４６とモニタ用の出力端子とを電気的に切断する。これにより、モニタに出力され得る映像が消える（すなわちモニタの画面全域がブラックとなる）。この結果、デジタルＴＶ放送に切り替わった直後、モニタには何も表示されずスピーカからは何の音声も出力されない。
【００３７】
Ｓ１６の処理後、制御部１０は、本実施例１の処理と同様に、所定時間待機し（Ｓ１７）、カウント値Ｃを１インクリメントする（Ｓ１８）。そしてカウント値Ｃが所定値ｎに達したか否かを判定する（Ｓ１９）。カウント値Ｃが所定値ｎに達していないと判定した場合（Ｓ１９：ＮＯ）、制御部１０は、Ｓ１７の処理に戻り、Ｓ１７〜Ｓ１９の一連の処理を繰り返し実行する。また、カウント値Ｃが所定値ｎに達したと判定した場合（Ｓ１９：ＹＥＳ）、Ｓ１６の処理を実行してから１．５秒経過したと判断し、音声ミュート回路４４及び映像処理回路４８の減衰機能又は切断機能をオフさせる（Ｓ２０）。これにより、スピーカ及びモニタの両方からデジタルＴＶ放送が出力される（Ｓ１２）。
【００３８】
上述したＴＶ放送設定処理を実行することにより、アナログＴＶ放送からデジタルＴＶ放送に切り替わったとき、スピーカ及びモニタから何も出力されず、１．５秒経過後に、音声及び映像の両方が出力される。従って、同一内容の音声及び映像の繰り返しがなくなり、且つ、切り替わりの前後において出力される音声及び映像に連続性が生まれる。この為、ユーザは、デジタルＴＶ放送とアナログＴＶ放送とが切り替わっても、違和感や不快感を覚えることがなくなる。
【００３９】
なお、映像処理回路４８は、モニタに出力されるべき映像を一時的に中断させて所定の画像を割り込ませて出力する機能を有したものであっても良い。この場合、映像処理回路４８は、格納手段を有しており、そこに所定の画像のデータを格納している。この所定の画像とは、アナログＴＶ放送からデジタルＴＶ放送への切り替わり時におけるユーザの違和感や不快感を解消する為のものであり、例えば、「少々お待ち下さい」という文字の画像であったり、特有のパターンであったりする。上述した映像信号の減衰処理及び切断処理の代わりに上記所定の画像をモニタに出力すると、先の例と同様に、同一内容の音声及び映像の繰り返しがなくなり、且つ、切り替わりの前後において出力される音声及び映像に連続性が生まれる。この為、ユーザは、デジタルＴＶ放送とアナログＴＶ放送とが切り替わっても、違和感や不快感を覚えることがなくなる。
【００４０】
以上が本発明の実施形態である。本発明はこれらの実施形態に限定されるものではなく様々な範囲で変形が可能である。
【００４１】
なお、本実施形態のテレビジョン放送受信機は車載されたものであるが、別の実施例では人が携帯するような機器であっても良い。
【図面の簡単な説明】
【００４２】
【図１】本発明の実施例１のテレビジョン放送受信機の構成を示したブロック図である。
【図２】本発明の実施例１の制御部が実行するＴＶ放送設定処理を示したフローチャートである。
【図３】本発明の実施例２のテレビジョン放送受信機の構成を示したブロック図である。
【図４】本発明の実施例２の制御部が実行するＴＶ放送設定処理を示したフローチャートである。
【符号の説明】
【００４３】
１０  制御部
１０ａ  カウント部
４２  音声切替部
４４  音声ミュート回路
４６  映像切替部
４８  映像処理回路
１００  テレビジョン放送受信機
【図１】
2006173965.tif 000003
【図２】
2006173965.tif 000004
【図３】
2006173965.tif 000005
【図４】
2006173965.tif 000006